(57)【要約】  グラフィカル情報をスキャンすることにより、入力データを受付するゲームプレイング装置が説明される。本装置は、前記グラフィカル情報から前記入力データを変換するスキャン構成を有する。さらに、前記スキャン構成はさらに、スキャン構成に接続され、当該計算ハードウェア内におけるソフトウェアの実行を制御するための解パラメータ、ソフトウェア及び入力パラメータの１以上を有する入力データを受付する計算ハードウェアを有する。さらに、計算ハードウェアに接続され、計算ハードウェアからのグラフィカル出力情報を装置の１以上のユーザに提供する表示構成が含まれる。さらに、本装置は、計算ハードウェアに接続され、ユーザ入力情報を受付し、計算ハードウェアの動作を制御するため、前記情報を計算ハードウェアに伝達するユーザインタフェースを有する。前記計算ハードウェアは、前記表示構成を駆動するため、予めロードされたソフトウェア又は以降においてロードされたソフトウェアの少なくとも１つを実行するよう動作可能であり、前記ソフトウェアは、前記スキャン構成及び前記ユーザインタフェース手段の少なくとも１つから前記計算ハードウェアに入力される入力情報及び／又はパラメータに応答して機能する。
2007500031.tif 000002
【特許請求の範囲】
【請求項１】
グラフィカル情報をスキャンすることにより、入力データを受付するゲームプレイング装置であって、
前記グラフィカル情報から前記入力データを変換するスキャン手段と、
前記スキャン手段に結合され、当該計算手段内のソフトウェアの実行を制御するための解パラメータ、ソフトウェア及び入力パラメータの１以上を有する前記入力データを受付する計算手段と、
前記計算手段に結合され、前記計算手段からのグラフィカル出力情報を当該装置の１以上のユーザに提供する表示手段と、
前記計算手段に結合され、ユーザ入力情報を受付し、該情報を前記計算手段の動作を制御するため、前記計算手段に伝達するユーザインタフェース手段と、
を有し、
前記計算手段は、前記表示手段を駆動するため、予めロードされたソフトウェア又は以降においてロードされたソフトウェアの少なくとも１つを実行するよう動作可能であり、
前記ソフトウェアは、前記スキャン手段及び前記ユーザインタフェース手段の少なくとも１つから前記計算手段に入力される入力情報及び／又はパラメータに応答して機能することを特徴とする装置。
【請求項２】
請求項１記載の装置であって、さらに、
当該装置と互換性を有する他のゲームプレイング装置の少なくとも１つ及びインターネットと通信するためのネットワークインタフェース手段を有することを特徴とする装置。
【請求項３】
請求項１記載の装置であって、
前記表示手段は、１以上の発光ダイオード、１以上の白熱フィラメントランプ、１以上の液晶ディスプレイ及びテレビタイプの装置に情報を提供するインタフェースの少なくとも１つを有することを特徴とする装置。
【請求項４】
請求項１記載の装置であって、
前記インタフェース手段は、１以上のユーザから前記計算手段へのデータの入力のため、１以上の薄膜スイッチ、シリコン導電性物質スイッチ、従来のプッシュボタンスイッチ、導電性パッドスイッチ、キャパシタンス制御スイッチ、１以上のスタイラスタイプトランスデューサの１以上を有することを特徴とする装置。
【請求項５】
請求項４記載の装置であって、
前記インタフェース手段は、テレビタイプリモコンから情報を受け付けることが可能であることを特徴とする装置。
【請求項６】
請求項２記載の装置であって、
前記ネットワークインタフェース手段は、専用のＢｌｕｅ−Ｔｏｏｔｈ及び／又は携帯電話機などの無線通信をサポートするよう構成されることを特徴とする装置。
【請求項７】
請求項１記載の装置であって、
前記スキャン手段は、１次元アレイ光検出器、２次元アレイ光検出器、光感応性ＣＣＤ（Ｃｈａｒｇｅ−Ｃｏｕｐｌｅｄ−Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージング装置、磁気スキャン装置及びイメージングスキャン装置の少なくとも１つを有することを特徴とする装置。
【請求項８】
請求項７記載の装置であって、
前記スキャン手段はさらに、前記スキャン手段が提供された移動するビジュアルデータに一時的に同期するのに供するための同期マーカー検知手段を有することを特徴とする装置。
【請求項９】
請求項７記載の装置であって、
前記スキャン手段は、提供されるビジュアル及び／又は磁気情報を読み込み、前記計算手段に伝達することが可能であり、
前記情報は、
実行可能なソフトウェア、
ゲーム設定データ、ゲーム難易度パラメータ、ゲームスピードパラメータ、ゲームキャラクタパラメータ、ゲームレイアウトパラメータ及び装置設定データの少なくとも１つを有するソフトウェア動作パラメータと、
１以上の予めプログラムされたゲーム、及び前記スキャン手段を介し当該装置に入力されるソフトウェアゲームに対する回答及び解の１以上と、
１以上のインターネットＵＲＬと、
の中の少なくとも１つを有することを特徴とする装置。
【請求項１０】
グラフィカル情報をスキャンすることにより入力データを受付するゲームプレイング装置の動作方法であって、
前記装置は、
前記グラフィカル情報から前記入力データを変換するスキャン手段と、
前記スキャン手段に結合され、当該計算手段内のソフトウェアの実行を制御するための解パラメータ、ソフトウェア及び入力パラメータの１以上を有する前記入力データを受付する計算手段と、
前記計算手段に結合され、前記計算手段からのグラフィカル出力情報を当該装置の１以上のユーザに提供する表示手段と、
前記計算手段に結合され、ユーザ入力情報を受付し、該情報を前記計算手段の動作を制御するため、前記計算手段に伝達するユーザインタフェース手段と、
を有し、
当該方法は、
前記計算手段に予めロードされたソフトウェア又は以降においてロードされたソフトウェアの少なくとも１つを実行するステップと、
前記表示手段を駆動するよう前記計算手段を構成するステップと、
を有し、
前記ソフトウェアは、前記スキャン手段及び前記ユーザインタフェース手段の少なくとも１つから前記計算手段に入力される入力情報及び／又はパラメータに応答して機能することを特徴とする方法。
【請求項１１】
請求項１０記載の方法であって、
複数のユーザの間のインタラクティブなゲームプレイを提供するため、他のゲームプレイング装置の１以上及び接続されるインターネットと前記装置がインタフェースをとるよう構成するステップを有することを特徴とする方法。
【請求項１２】
請求項１０記載の方法であって、
前記スキャン手段が、提供されるビジュアル及び／又は磁気情報を読み込み、前記計算手段に伝達することが可能となるよう構成するステップを有し、
前記情報は、
実行可能なソフトウェア、
ゲーム設定データ、ゲーム難易度パラメータ、ゲームスピードパラメータ、ゲームキャラクタパラメータ、ゲームレイアウトパラメータ及び装置設定データの少なくとも１つを有するソフトウェア動作パラメータと、
１以上の予めプログラムされたゲーム、及び前記スキャン手段を介し前記装置に入力されるソフトウェアゲームに対する回答及び解の１以上と、
の中の少なくとも１つを有することを特徴とする方法。
【発明の詳細な説明】
【技術分野】
【０００１】
本発明は、ゲームプレイング装置に関し、より詳細には以下に限定するものではないが、本発明は、印刷されたグラフィカル情報を光学的にスキャンすることによって、少なくともそれの入力の一部を受信することが可能なゲームプレイング装置に関する。
【背景技術】
【０００２】
携帯型電子ゲームプレイング装置が周知である。このような装置はしばしば家庭内の使用が可能であり、各装置は、電源、表示ディスプレイ及びユーザインタフェースに接続された電子ユニットを収容する外側のプラスチック製ケーシングを有する。さらに、表示ディスプレイは、便宜上、発光ダイオード、液晶ディスプレイ及び白熱電球の１以上である。さらに、ユーザインタフェースは、便宜上、ケーシングの１以上の外面においてアクセス可能な１以上のスイッチである。さらに、例えば製造コストを低減するため、電子ユニットは、便宜上、少なくとも１つの集積回路を有する。
【０００３】
例えば、公開された英国特許出願第ＧＢ２，２３１，７０１号では、携帯型電子ゲームプレイング装置が記載されている。当該装置は、液晶表示装置をサポートするケーシング及び所定のプログラムに対して動作する内部制御回路に接続される制御ボタンを有する。ケーシングはまた、リーダに挿入された磁気カードストリップ上に符号化されたデータを読み込み、さらに任意的に当該ストリップに書き込むためのカードリーダをサポートする。バッテリホルダが、当該装置に電源供給するためのバッテリを収容するためケーシングに組み込まれる。動作については、ゲームデータがカードストリップから内部の制御回路に読み込まれ、従来のスロットマシーンゲームのシミュレーションなどの所望のゲームを制御ボタン及び表示装置を介し装置のユーザに提供する。例えば、ユーザがカードストリップを適切な支払所に提示又は送信することにより、後の賞金の支払いのため、ゲームの賞金がカードストリップに記録可能である。
【０００４】
さらに公開されたドイツ国特許第ＤＥ１９９２３０６６号では、クロスワードパズルを解くための電子クロスワード装置が記載されている。当該装置は、マイクロコントローラ、表示ディスプレイ及び複数の球状のセンサを備えたハウジングを有する。球状センサには文字マーキングが設けられ、これにより、マイクロコントローラへのアルファベットデータのエントリに利用することが可能である。さらに、センサの空間分布は、従来のクロスワードパズルに類似した文字の空間表示を提供するよう動作可能である。表示ディスプレイは、装置のユーザにセンサの１以上を応答して回転するユーザに促す１以上のクルーワード（ｃｌｕｅ  ｗｏｒｄ）を提示するよう動作可能である。
【０００５】
さらに、公開された国際ＰＣＴ特許出願第ＰＣＴ／ＤＥ０１／０４７７６号では、特に可変的展開状態を採用可能なゲーム登場人物のやりとりのための、ゲームをプレイするコンピュータ装置が記載されている。当該装置は、装置から着脱可能な自己完結した電子メモリユニットから、それの機能を制御するためのゲーム状態データを読み込むよう動作可能であり、これにより、当該装置を異なる電子メモリユニットと交換することにより異なるゲームをプレイすることを可能にする。
【０００６】
最近、任天堂は、４キロバイトまでのデータを有する印刷されたドットマトリックスストリップを有するカスタマイズされたプレイングカードを光学的に読み込むのに利用するための光スキャナを有する携帯型電子ゲーム装置を近日販売すると発表した。当該ゲーム装置はさらに、それのハウジングの内部に、ユーザ操作可能なコントロール及びスイッチと共に画像ディスプレイを有する。さらに、当該ハウジングはさらに、使い捨て電池などの電源と付属の電子回路を搭載する。
【０００７】
本発明者は、当該技術分野において知られるゲーム装置が、使用において１以上の問題点を与えるということを認識した。例えば、それらは、広範なゲームをプレイするにはフレキシビリティが不十分であるという少なくとも１つの問題点があり、特に印刷された新聞、雑誌及び関連するペーパーベース製品などのパブリック情報の交換に用いられる従来技術による一般に利用可能なメディアと容易に互換的なものとすることができない。本発明を考案するに、本発明者は上記１以上の問題点を少なくとも部分的に解消するよう試みた。
【発明の開示】
【発明が解決しようとする課題】
【０００８】
本発明の第１の課題は、印刷されたインクバーコードなどの紙状の印刷されたグラフィカル情報の形態による入力情報を受付可能なゲームプレイング装置を提供することである。
【０００９】
本発明の第２の課題は、現在知られているゲームプレイング装置と比較して、利用性を向上させ、及び／又は機能を向上させた多用途なゲームプレイング装置を提供することである。
【課題を解決するための手段】
【００１０】
本発明の第１の特徴によると、グラフィカル情報をスキャンすることにより、入力データを受付するゲームプレイング装置であって、
（ａ）前記グラフィカル情報から前記入力データを変換するスキャン手段と、
（ｂ）前記スキャン手段に結合され、当該計算手段内のソフトウェアの実行を制御するための解パラメータ、ソフトウェア及び入力パラメータの１以上を有する前記入力データを受付する計算手段と、
（ｃ）前記計算手段に結合され、前記計算手段からのグラフィカル出力情報を当該装置の１以上のユーザに提供する表示手段と、
（ｄ）前記計算手段に結合され、ユーザ入力情報を受付し、該情報を前記計算手段の動作を制御するため、前記計算手段に伝達するユーザインタフェース手段と、
を有し、
前記計算手段は、前記表示手段を駆動するため、予めロードされたソフトウェア又は以降においてロードされたソフトウェアの少なくとも１つを実行するよう動作可能であり、前記ソフトウェアは、前記スキャン手段及び前記ユーザインタフェース手段の少なくとも１つから前記計算手段に入力される入力情報及び／又はパラメータに応答して機能することを特徴とする装置が提供される。
【００１１】
本発明は、本発明の上記課題の少なくとも１つを解決できるという効果がある。
【００１２】
好ましくは、本装置は、当該装置と互換性を有する他のゲームプレイング装置の少なくとも１つ及びインターネットと通信するためのネットワークインタフェース手段を有する。このようなネットワークインタフェース手段は、本装置が適応可能なゲームの範囲を拡大することが可能である。
【００１３】
好ましくは、本装置では、前記表示手段は、１以上の発光ダイオード（ＬＥＤ）、１以上の白熱フィラメントランプ、１以上の液晶ディスプレイ（ＬＣＤ）及びテレビタイプの装置に情報を提供するインタフェースの少なくとも１つを有する。
【００１４】
好ましくは、本装置では、前記インタフェース手段は、１以上のユーザから前記計算手段へのデータの入力のため、１以上の薄膜スイッチ、シリコン導電性物質スイッチ、従来のプッシュボタンスイッチ、導電性パッドスイッチ、キャパシタンス制御スイッチ、１以上のスタイラスタイプトランスデューサの１以上を有する。
【００１５】
好ましくは、本装置では、前記インタフェース手段は、テレビタイプリモコンから情報を受け付けることが可能である。このような互換性は、装置の使用を簡単化し、その製造を安価にし、及び／又はテレビタイプ機器をすでに所有するユーザに対する許容性を向上させることが可能である。
【００１６】
好ましくは、本装置では、前記ネットワークインタフェース手段は、専用のＢｌｕｅ−Ｔｏｏｔｈ及び／又は携帯電話機などの無線通信をサポートするよう構成される。
【００１７】
好ましくは、本装置では、前記スキャン手段は、１次元アレイ光検出器、２次元アレイ光検出器、光感応性ＣＣＤ（Ｃｈａｒｇｅ−Ｃｏｕｐｌｅｄ−Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージング装置、磁気スキャン装置及びイメージングスキャン装置の少なくとも１つを有する。より好ましくは、バーコードなどの印刷されたビジュアル物質による装置の使用をさらに容易にするため、前記スキャン手段はさらに、前記スキャン手段が提供された移動するビジュアルデータに一時的に同期するのに供するための同期マーカー検知手段を有する。
【００１８】
より好ましくは、前記スキャン手段は、提供されるビジュアル及び／又は磁気情報を読み込み、前記計算手段に伝達することが可能であり、前記情報は、
（ａ）実行可能なソフトウェア、
（ｂ）ゲーム設定データ、ゲーム難易度パラメータ、ゲームスピードパラメータ、ゲームキャラクタパラメータ、ゲームレイアウトパラメータ及び装置設定データの少なくとも１つを有するソフトウェア動作パラメータと、
（ｃ）１以上の予めプログラムされたゲーム、及び前記スキャン手段を介し当該装置に入力されるソフトウェアゲームに対する回答及び解の１以上と、
（ｄ）１以上のインターネットＵＲＬと、
の中の少なくとも１つを有する。
【００１９】
本発明の第２の特徴によると、グラフィカル情報をスキャンすることにより入力データを受付するゲームプレイング装置の動作方法であって、前記装置は、
（ａ）前記グラフィカル情報から前記入力データを変換するスキャン手段と、
（ｂ）前記スキャン手段に結合され、当該計算手段内のソフトウェアの実行を制御するための解パラメータ、ソフトウェア及び入力パラメータの１以上を有する前記入力データを受付する計算手段と、
（ｃ）前記計算手段に結合され、前記計算手段からのグラフィカル出力情報を当該装置の１以上のユーザに提供する表示手段と、
（ｄ）前記計算手段に結合され、ユーザ入力情報を受付し、該情報を前記計算手段の動作を制御するため、前記計算手段に伝達するユーザインタフェース手段と、
を有し、当該方法は、
（ｅ）前記計算手段に予めロードされたソフトウェア又は以降においてロードされたソフトウェアの少なくとも１つを実行するステップと、
（ｆ）前記表示手段を駆動するよう前記計算手段を構成するステップと、
を有し、前記ソフトウェアは、前記スキャン手段及び前記ユーザインタフェース手段の少なくとも１つから前記計算手段に入力される入力情報及び／又はパラメータに応答して機能することを特徴とする方法が提供される。
【００２０】
好ましくは、本方法は、複数のユーザの間のインタラクティブなゲームプレイを提供するため、他のゲームプレイング装置の１以上及び接続されるインターネットと前記装置がインタフェースをとるよう構成するステップを有する。
【００２１】
好ましくは、本方法は、前記スキャン手段が、提供されるビジュアル及び／又は磁気情報を読み込み、前記計算手段に伝達することが可能となるよう構成するステップを有し、前記情報は、
（ａ）実行可能なソフトウェア、
（ｂ）ゲーム設定データ、ゲーム難易度パラメータ、ゲームスピードパラメータ、ゲームキャラクタパラメータ、ゲームレイアウトパラメータ及び装置設定データの少なくとも１つを有するソフトウェア動作パラメータと、
（ｃ）１以上の予めプログラムされたゲーム、及び前記スキャン手段を介し前記装置に入力されるソフトウェアゲームに対する回答及び解の１以上と、
の中の少なくとも１つを有する。
【００２２】
本発明の特徴は、本発明の範囲から逸脱することなく任意の組み合わせに合成可能であるということは理解されるであろう。
【発明を実施するための最良の形態】
【００２３】
図１を参照するに、１０により全体的に示され、破線２０内に含まれる本発明によるゲームプレイング装置が示される。装置１０は、好ましくは、ＡＢＳ及び／又はガラス充填ナイロンなどの射出成形されたプラスチック物質から製造される外側ケーシング（図示せず）を有する。このケーシングは、１以上の電子回路３０（ＥＬＥＣＴＲＯＮＩＣ  ＣＣＴＳ．）、ユーザディスプレイ４０（ＵＳＥＲ  ＤＩＳＰＬＡＹ）、光学リーダ５０（ＯＰＴ．ＲＥＡＤＥＲ）、ユーザインタフェース６０（ＵＳＥＲ  ＩＮＴＥＲＦＡＣＥ）、電源（ＰＳＵ）７０、及び装置１０と互換性を有し、及び／又は類似した１００により全体的に示される他の装置と双方向インタフェースをとるための装置ネットワーキングインタフェース８０（ＮＥＴＷＯＲＫ  ＩＮＴＥＲＦＡＣＥ）を収容するよう構成される。
【００２４】
ユーザディスプレイ４０は、他のタイプの発光ディスプレイもまた任意的に備えられるが、液晶マトリックスディスプレイ（ＬＣＤ）、１以上の発光ダイオード（ＬＥＤ）及び１以上の白熱フィラメントランプの少なくとも１つを有する。さらに、ディスプレイ４０は、上記外側ケーシング内に設けられる開口部及び／又は実質的に透過なビューイングウィンドウを介しユーザに閲覧可能である。電源７０は、使い捨て電池、充電可能電池及びメイン電源の１以上であり、ソース７０及びそれの構成部分はまた、好ましくは、上記ケーシング内に設けられる。
【００２５】
ユーザインタフェース６０は、ユーザ操作可能なコントロールとして実現され、他のタイプのスイッチ技術が代わりに、又は追加的に利用されるが、好ましくは、薄膜スイッチ、シリコン導電性物質スイッチ、従来のプッシュボタンスイッチ、指の組織が導電パスを与える導電性パッドスイッチ、指が近接することにより生じるキャパシタンスの変化が状態のスイッチングを引き起こすキャパシタンス制御スイッチの少なくとも１つとして実現される。例えば、インタフェース６０は、任意的には、装置のユーザが紙やカード上をペンやバイロウボールペンにより書き込むのと同様にして、装置１０にデータを入力することが可能となるように、スタイラスタイプのトランスデューサをさらに有するよう構成可能である。
【００２６】
電子回路３０は、好ましくは、１以上のプリント回路ボード上に搭載された１以上の集積回路として実現される。このような１以上の回路ボードは、好ましくは、ハウジング内で機械的に厳格にサポートされている。さらに、ユーザインタフェース６０、光学リーダ５０、ユーザディスプレイ４０、電源ユニット７０及びインタフェース８０の１以上が、好ましくは、プリント回路ボード上に搭載されている。
【００２７】
インタフェース８０は、１．５ＧＨｚのオーダーの通信周波数により動作する専用のＢｌｕｅＴｏｏｔｈ無線通信技術により実現することが可能である。あるいは、又は加えて、インタフェース８０は、１５〜６０ｋＨｚの音響キャリア周波数範囲で動作する圧電変換器を用いるなどにより、赤外線見通しのある（ｌｉｎｅ−ｏｆ−ｓｉｔｅ）通信及び超音波通信の１以上により実現することが可能である。
【００２８】
光学リーダ５０は、バーコードリーダ及び２次元画像リーダの１以上である。好ましくは、それは、専用の１次元及び／又は２次元光学ＣＣＤ（Ｃｈａｒｇｅ−Ｃｏｕｐｌｅｄ−Ｄｅｖｉｃｅ）又はＣＭＯＳイメージング集積回路を利用するなどして、光検出器の１次元及び／又は２次元アレイの１以上を用いて実現される。従来、このようなイメージング回路は、安価なウェブカメラ、低解像度デジタルカメラ及びユーザイメージング機能を有する携帯電話機において利用される。光学リーダ５０は、好ましくは、電子回路３０を収容する上述のプリント回路ボード上に搭載される。あるいは、リーダ５０は、ハウジングに搭載され、例えば、Ｋａｐｔｏｎフレキシブル回路ボード接続ストリップを介し電子回路と通信可能に接続される。さらに、例えば、グラフィカルプリント形式１６０によりプログラム及び／又はパラメータデータを有するプリントフィーチャカード１５０を読み込む必要がある場合、ゲームプレイング装置１０にはまた、リーダ５０を通過する予測可能な所定のレートによりプリントフィーチャカード２５０を駆動するモータードライブアセンブリ（図１には図示せず）が設けられる。またあるいは、又は加えて、このようなプリントカード１５０は、好ましくは、リーダ５０がプリントスワイプカード１５０リーダ及び／又はスワイプされたバーコードリーダとして実現できるように、データ同期のためのリニアダッシュトラックなどのタイミングフィーチャを有する。
【００２９】
リーダ５０は、任意的には、磁気記録されたデータのため、カード及び同様のタイプのオブジェクトを磁気スキャンする磁気ストリップリーダにより補完又は代替される。
【００３０】
図１に示されるように、インタフェース６０、リーダ５０、ディスプレイ４０、インタフェース８０及び電源７０は、すべて電子回路３０に接続される。
【００３１】
備えられるフィーチャ１６０に対応するカード１５０からのデータ入力は、（ａ）実行可能なソフトウェア、（ｂ）好ましくは、プレイされる１以上の予めプログラムされたゲームを特定するゲーム設定データ、ゲーム難易度、ゲームスピード、ディスプレイ４０に登場するゲームキャラクタ、ゲームレイアウト（クロスワードパズル空欄形状など）、及び装置設定データ（インタフェース８０がその他１以上の装置１００と通信することを可能にするためのものなど）の１以上を含むソフトウェア動作パラメータ、（ｃ）リーダ５０を介し装置１０に入力される１以上の予めプログラムされたゲーム及びソフトウェアゲームに対する回答及び解の１以上、のうちの少なくとも１つを有することが可能である。
【００３２】
インタフェース８０を備えることは、装置１０がバックギャモン、ディプロマシー、ウィスト、スナップ、チェス、ドラフトなどの競争グループプレイング活動に利用されるとき、潜在的に有用である。
【００３３】
リーダ５０はまた、任意的に、あるいは、又は加えて、設定データ、ソフトウェア、ソフトウェアパラメータデータ、インターネット及びゲーム結果データの少なくとも１つを含む電子集積回路モジュールを受付可能である。
【００３４】
装置１０の動作が、図１を参照して概略される。
【００３５】
第１ステップでは、ユーザはゲームプレイング装置１０を、例えば、ユーザの手中、テーブルや机の上面、又はユーザの膝上に置く。
【００３６】
第２ステップでは、その後ユーザは、例えば、ユーザインタフェース６０上の１以上のボタン又はスイッチを押下することにより装置１０を起動する。
【００３７】
第３ステップにおいて、その後ユーザは、雑誌や新聞に印刷されたバーコード上のフィーチャなどの入力情報の１以上のアイテムをスキャンすることを選択する。
【００３８】
第４ステップにおいて、ユーザは、ソフトウェア、設定データ及び解データの１以上を電子回路３０にロードするため、リーダ５０に対して空間的に入力情報の１以上のアイテムを移動させる。
【００３９】
第５ステップにおいて、ユーザは最後に、装置１０にそれのユーザインタフェース６０を介し、電子回路３０にロードされたソフトウェアの１以上を実行し、装置１０にロードされた設定データを用いて装置１０に予めロードされたソフトウェアを実行するよう指示する。必要に応じて、装置１０はまた、ユーザディスプレイ４０を介しユーザに解データを提示することが可能であり、このような提示は、装置１０が幼児の教育目的のために使用されるとき、装置１０が幼稚園や保育園などの広場で教育的なおもちゃとして使用される場合に特に適している。
【００４０】
装置１０は、図２に示されるように、ネットワーク構成の一部として利用することが可能である。その他の装置１００の少なくとも１つは、好ましくは、インターネットへの通信リンクを提供することが可能である。このような構成では、リーダ５０を介し入力されるデータは、ＵＲＬ（Ｕｎｉｖｅｒｓａｌ  Ｒｅｓｏｕｒｃｅ  Ｌｏｃａｔｏｒ）であることが効果的であり、例えば、ＵＲＬは回答データ、プレイングパラメータデータ及び他のタイプのデータが存在するインターネットウェブサイトへの接続を可能にする。
【００４１】
インタフェース８０は、装置１０のユーザ及びその他の装置１００の１以上のユーザが、例えば、装置１０及び１００の１以上に予め、及び／又は以降にロードされたソフトウェアに基づき、ネットワーク処理としてゲームをプレイすることを可能にする。その他の装置１００は、例えば、破線１０５内に示されるように、装置１０に直接接続され、及び／又は、破線１１５内の装置１００の１つを介し装置１０に間接的に接続されるリモート装置１１０にたいし示されるように間接的に接続することが可能である。装置１０がインターネット接続である場合、装置１０と共にその他の装置１００の１以上にインターネットサポートを提供することが可能である。
【００４２】
好ましくは、ユーザインタフェース６０は、テレビなどの家庭内装置のアイテムをリモート制御するのにしばしば使用されるような標準的な専用リモコンから入力情報を受け付けるよう構成される。必要に応じて、ネットワーキングインタフェース８０は、ユーザが良く見えない、及び／又は家族全体が提供されたクロスワードを解くのに協力するクロスワードパズルの比較的大きな画像など、大型の映像情報をユーザに提示する家庭用テレビなどの標準的映像装置に出力するのに適した映像出力を有することが可能である。
【００４３】
本発明の範囲から逸脱することなく、上述された本発明の１以上の実施例に改良が可能であるということは理解されるであろう。
【００４４】
上記において、「備える」、「含む」、「構成する」、「有する」及び「搭載する」などの表現は、非排他的なものと解釈され、すなわち、明示的に列挙又は記載されていない他のアイテムもまた存在し得る。同様に、添付した請求項などの単数の表現は、対応するものが複数存在することを含むものと解釈されるべきである。
【図面の簡単な説明】
【００４５】
【図１】図１は、本発明によるゲームプレイング装置の実施例の概略図である。
【図２】図２は、他のゲームプレイング装置を有する通信ネットワーク構成において構成される図１の装置の概略図である。
【図１】
2007500031.tif 000003
【図２】
2007500031.tif 000004
【国際調査報告】
2007500031.tif 000005
2007500031.tif 000006
2007500031.tif 000007